(57)【要約】【課題】よりリアルに故人をしのぶことができる録音再生する模造口腔体を提供する。【解決手段】故人の歯又は義歯と、録音再生装置を備える。上あご部と下あご部は再生する音声の音量に合わせて開閉する。汎用通信インターフェースを備え、パソコンなどの機器と通信可能であり、パソコンを使用して音声データを模造口腔体のメモリに格納したり読み出したりすることができる。模造口腔体は口腔部を模して形成されるが、仏像などの像に組み込んでも良い。【選択図】図１
2008093310.tif 000002
【特許請求の範囲】
【請求項１】
歯又は義歯を有する上あご部及び下あご部と、
音声を録音し、再生する録音再生部と、
を備えることを特徴とする模造口腔体。
【請求項２】
再生音の大きさに合わせて上あご部又は下あご部を上下運動させる駆動機構をさらに備えることを特徴とする請求項１記載の模造口腔体。
【請求項３】
汎用通信インターフェースをさらに備えることを特徴とする請求項１又は２に記載の模造口腔体。
【発明の詳細な説明】
【技術分野】
【０００１】
本発明は、歯又は義歯を有し録音再生機能を有する模造口腔体に関するものである。
【背景技術】
【０００２】
従来は、故人の義歯は故人をしのぶには良い遺品であるにもかかわらず、仏壇などに飾るには見栄えが悪く、静置しようとしてもすわりが悪く不安定であるという問題点があった。
【０００３】
また、生前に録音した故人の声をテープレコーダやＣＤプレーヤで再生することは従来より行われてきたが、機械から再生されるためあじけない感じがするという問題点があった。
【０００４】
この問題に関する従来技術として、特許文献１に録音再生機能を有し、モータによって腕が動く人形が記載されている。
【０００５】
しかし、特許文献１は故人をしのぶには故人の人体を模す必要があり、人形の製作費用がかかるという問題点があった。
【特許文献１】特開平０７−０２４１５０号公報
【発明の開示】
【発明が解決しようとする課題】
【０００６】
本発明は上記のような問題点に鑑みてなされたものであり、よりリアルに故人をしのぶことができる録音再生する模造口腔体を提供することを目的とする。
【課題を解決するための手段】
【０００７】
この目的を達成するために、請求項１の模造口腔体は、歯又は義歯を有する上あご部及び下あご部と、音声を録音し、再生する録音再生部と、を備えることを特徴とする。
【発明の効果】
【０００８】
本発明の録音再生する模造口腔体によれば、個人の歯又は義歯と録音再生機能を有するため、よりリアルに故人をしのぶことができる。
【発明を実施するための最良の形態】
【０００９】
本発明の録音再生する模造口腔体の一実施形態を、図面を用いて説明する。図１は本実施形態の録音再生する模造口腔体を前面から見た斜視図である。本実施形態の模造口腔体は、故人の歯又は義歯３を有する上あご部１と、下あご部２とを有する。上あご部1と下あご部２とは背面部にて蝶番４５（図４）によって開閉可能に係止されている。外観は口を模して形成することが望ましい。
【００１０】
ここで模造口腔体とは外観が人体の口を模したものであり、歯又は義歯を有し、上あご部と下あご部が開閉する機構をいう。
【００１１】
図２は本実施形態の模造口腔体を背面から見た図である。本実施形態の模造口腔体は、上あご部1又は下あご部２のいずれかに、録音又は再生を選択するスイッチ２１と、録音の際に音声を収集するマイク２２と、音声を再生するスピーカ２３と、蓋が開閉可能な電池ボックス２４と、汎用通信インターフェースであるＵＳＢのコネクタ２５とを備える。
【００１２】
歯又は入れ歯を上あご部1及び下あご部２に固定する方法はどのような方法でも良い。例えば次のような方法がある。歯を上あご部1及び下あご部２に固定する場合は、上あご部1及び下あご部２に歯を埋め込む孔を穿設し、接着剤を用いてその孔に歯を固定する。総入れ歯を上あご部1及び下あご部２固定する場合は、上あご部1及び下あご部２に総入れ歯をはめ込む溝を設けるとともに総入れ歯を装着できるように上あご部1及び下あご部２の内部を削り、接着剤を用いて総入れ歯を固定する。総入れ歯から義歯を取り外し、歯と同様の方法によって固定しても良い。
【００１３】
図３は本実施形態の模造口腔体の構成を表す概要図である。本実施形態の模造口腔体は録音再生部を有する。録音再生部は音声を収集するマイク３０と、収集した音声をデジタルデータに変換するＡＤコンバータ３１と、変換したデジタルデータを記憶するメモリを有する記憶部３２と、記憶部から読み出したデジタルデータをアナログデータに変換するＤＡコンバータ３３と、変換された信号を増幅する増幅器３４と、音声を流すスピーカ３５とを備える。さらに本実施形態の模造口腔体は記憶部３２から読み出した音声データのうち音量をステッピングモータのステップに変換するモータ制御器３６と、ステッピングモータであるモータ３７と、汎用通信インターフェースであるＵＳＢインターフェース３８と、ＵＳＢケーブルを接続するコネクタ３９と、ハードウエアを制御する制御部４０とを備える。
【００１４】
ここで、記憶部３２が有するメモリは不揮発性で読み書き可能なフラッシュＲＯＭであることが望ましい。スピーカ３５はマイク３０を兼用することができる。モータ３７はモータ制御器をＤＣモータに対応するように構成すればＤＣモータを用いることもできる。
【００１５】
本実施形態の模造口腔体はＵＳＢインターフェース３８を有している。このためパソコンなどの機器と接続でき、録音したデータをパソコンの記憶装置に格納することも、パソコンから模造口腔体の記憶部に格納することもできる。汎用通信インターフェースであれば、ＵＳＢに代えてＬＡＮボードなどのインターフェースを用いても良い。
【００１６】
次いで動作について述べる。スイッチ２１を「録音」に合わされると、制御部４０はマイク３０が収集し、ＡＤコンバータ３１が変換した音声のデジタルデータを記憶部３２に記憶させる。この記憶により音声が録音される。スイッチ２１が当初の位置に戻されるか所定の時間を経過すると録音を終了する。記憶部３２に格納されている音声データは新たに音声データが録音されると上書きされる。
【００１７】
スイッチ２１が「再生」に合わされると、制御部４０は記憶部３２から格納されている音声のデジタルデータを読み出し、ＡＤコンバータ３３に出力する。ＡＤコンバータ３３はデジタルデータをアナログ信号に変換し増幅器３４に出力する。増幅器３４は受信したアナログデータを増幅しスピーカ３５に出力する。スピーカ３５は入力した信号により音声を出力する。
【００１８】
制御部４０は記憶部３２から格納されているデジタルデータを読み出すと、ＡＤコンバータに出力すると同時にモータ制御器３６に出力する。
【００１９】
汎用通信インターフェースであるＵＳＢインターフェース３８はコネクタ３９から通信信号を受信すると制御部４０に通信機器が接続された旨の信号を送る。これにより制御部４０は通信を開始し、接続された通信機器から見るとリームーバブルディスクであるようにエミュレートする。制御部４０はデータの格納信号と格納するデータを受信したときは記憶部３２のメモリにデータを格納し、データの読み出し信号を受信したときは記憶部３２のメモリからデータを読み出してＵＳＢインターフェース３８を介して接続された通信機器に送信し、データの削除信号を受信したときは記憶部３２に格納されているデータを削除する。
【００２０】
図４は本実施形態の実線は模造口腔体の駆動機構を横から見た図であり、点線は模造口腔体の断面図である。本実施形態の模造口腔体はモータ制御器から電力を供給されて回転するモータ４１と、モータ４１に接続された第１歯車４２と、第１歯車にかみ合い、回転を減速する第２歯車４３と、第２歯車４３に係止され、上あご部１を上下させるアーム４４と、上あご部１と下あご部２を開閉可能に係止する蝶番４５を有する。
【００２１】
制御部４０はモータ制御部３６に記憶部３２に格納されているデジタルデータを出力する。制御部４０から入力した音声データの音量が大きい場合にはモータ制御部３６はその音量に応じた回転角だけアーム４４が上あご部１を押し開く方向にモータ３７を回転させる電流をモータ４１に送る。音量が小さい場合にはモータ制御部３６は逆に電流を流す。これにより、再生する音量に合わせて上あご部１が開閉する。
【００２２】
本実施形態の模造口腔体は、さらに装飾を施したり、家紋を入れたりすることができる。また、材質も安価なプラスチックを使うことも貴金属を使うこともでき、金箔や漆塗りのように豪華な装飾を用いることもできる。更に、装飾品をあしらった葬儀用の品、即ち、葬儀の際、墓石や棺等を個々に拘りがあるように他界された後も、歯だけは丈夫にとの思いを込め位牌の横や棺の中に入れられる故人の名前を彫った入れ歯とすることもできる。入れ歯には位牌同様に、故人の名と新たに頂く名前を彫り、出来るなら、要望に合わせ、各家庭の宗教の宗派の神や、お経、言霊を刻印しても良い。生前に使用されていた入れ歯（デンチャー）や差し歯、および天然歯を木材に埋め込んだり、仏壇に飾れる様な装飾された土台を製作したりしても良い。
【００２３】
以上のように、本実施形態の録音再生する模造口腔体は故人の歯又は義歯を有し、故人の声を録音再生する機構を有し、さらに再生の際に音量に合わせて口が開閉するため、よりリアルに故人をしのぶことができる。また、模造口腔体は量産可能なため安価に製造することができる。
【００２４】
図５は仏像に本発明の録音再生する模造口腔体を組み込んだ実施形態である。仏像に変えて観音像を用いることもできる。これらの像は量産されるため、製造コストを安く押さえることができる。
【００２５】
図６（ａ）は模造口腔体の上あご部１を上面から見た図及び前面から見た図である。図６（ｂ）は模造口腔体の下あご部２を下面から見た図及び前面から見た図である。１が本体であり、例えば金属、木材の材料を使用する。装飾部６の部分に仏壇のような装飾を施してもよい。また上底面５に故人の名前や言霊を彫ることが望ましい。
【００２６】
図７（ａ）、図７（ｂ）は  口蓋部内部より下顎部を見た図である。図７（ａ）の４に穴を開け生前の天然歯、差し歯、入れ歯の断片を埋め込めばさらに故人への想いがこもり望ましい。また、３ａの部分に故人の名前や言霊を彫ることが望ましい。その他、３ａの部分に故人の歯を埋め込んでもよい。
【００２７】
なお、本発明の実施形態は上記に限られるものではない。発明の趣旨を変えない範囲で種々の変更を加えて実施することができる。例えば上記の実施例から構成要素をはずしたり新たに構成要素を追加したりすることができる。
【産業上の利用可能性】
【００２８】
本発明の録音再生する模造口腔体は汎用通信インターフェースを供えているため、インターネットを介して遠隔操作するように構成すれば、同時に複数の場所において音声を再生することができ、社員への訓示などに利用することができる。
【図面の簡単な説明】
【００２９】
【図１】模造口腔体を前面から見た斜視図である。
【図２】模造口腔体を背面から見た図である。
【図３】模造口腔体の構成を表す概要図である。
【図４】模造口腔体の駆動部分を横から見た図である。
【図５】仏像に本発明の模造口腔体を組み込んだ図である。
【図６】模造口腔体の構成を表す概要図である。
【図７】模造口腔体の構成を表す概要図である。
【符号の説明】
【００３０】
１：上あご部、
２：下あご部、
３：歯又は義歯、
２１：スイッチ、
２２：マイク、
２３：スピーカ、
４１：モータ、
４４：アーム。
【図１】
2008093310.tif 000003
【図２】
2008093310.tif 000004
【図３】
2008093310.tif 000005
【図４】
2008093310.tif 000006
【図５】
2008093310.tif 000007
【図６】
2008093310.tif 000008
【図７】
2008093310.tif 000009